(57)【要約】  物品を分配するためのカートン（１０）は販売促進用のフラグとして利用することができる内蔵保持機構を装備する分配機構を具備する。複数のパネル（２０、２２、２４、４０、４２）はカートンの端部を形成するために一緒に連結される。カートンの端部の移動可能な部分（７０）は、カートン内から物品を分配するための開口を形成すべくカートン端部から着脱し得る。組み立てられたカートンの内部では、移動可能な部分（７０）がカートンから少なくとも部分的に分離される以前にカートン内の視界から見えなくなるパネル部分（７８、８０）である。パネル部分は、カートンからの移動可能な部分の少なくとも部分的な着脱によって開口からカートンの外部に露出される。パネル部分の遠位端（４４、４６）は、カートン内の物品を拘束するために開口内に延在する。パネル部分はより大きな広告用フレキシビリティーを可能にする広告パネルとして使用し得る。
2007511440.tif 000002
【特許請求の範囲】
【請求項１】
物品を分配するカートンであって、
カートン端部を画定する複数のパネルと、
前記カートン内のいちばん端の物品を取り除くように露出させるべく開口を形成する、該カートンから少なくとも部分的に着脱自在に前記カートン端部に着脱自在に連結した移動可能な部分であって、前記移動可能な部分は前記パネルの幾つかと第１弱化線によって少なくとも部分的に画定され、前記移動可能な部分が前記第１弱化線に沿って前記カートン端部から少なくとも部分的に着脱されるとき、前記開口は前記カートン端部の上側端縁を画定する、前記移動可能な部分と、
前記カートン端部からの前記移動可能な部分の少なくとも部分的な着脱によって前記開口を通じて前記カートンの外部に視覚的に露出するパネル部分であって、前記パネル部分の遠位端は前記上側端縁を越えて上向きに延在して前記カートン内に物品を拘束する前記開口内に入り、前記遠位端は、前記カートン端部の前記上側端縁と実質的に対応する第２弱化線に沿った前記パネル部分の残部に連結され、もって前記第２弱化線に沿って回動可能である、前記パネル部分と、を備えるカートン。
【請求項２】
前記パネル部分の遠位端は前記弱化線に沿って着脱可能である、請求項１に記載のカートン。
【請求項３】
前記パネル部分の遠位端は宣伝用のしるしを自身上に担持するグラフィック表面を含む、請求項１または請求項２に記載のカートン。
【請求項４】
前記パネル部分の遠位端はゲーム片となっている、請求項１から請求項３までのいずれか１項に記載のカートン。
【請求項５】
前記パネル部分の遠位端が商品引換券となっている、請求項３に記載のカートン。
【請求項６】
前記パネル部分は前記カートンの底面パネルにヒンジ連結された端部フラップから構成される、請求項１から請求項５までのいずれか１項に記載のカートン。
【請求項７】
前記パネル部分は、前記カートンの一対の固定された底面パネルにそれぞれヒンジ連結された一対の固定された大端部フラップから構成される、請求項１から請求項５までのいずれか１項に記載のカートン。
【請求項８】
単一のブランクから構成されるカートンであって、
頂面パネルと、
折り目線に沿って前記頂面パネルの各反対側端縁に連結される側面パネルと、
折り目線に沿って、前記頂面パネルとは反対側の自身の端縁で前記側面パネルの１つに連結される第１底面パネルであって、前記頂面パネル、前記側面パネル、及び前記底面パネルは管状構造体を画定する、前記第１底面パネルと、
前記管状構造体の各反対側端部を少なくとも部分的に閉鎖する端部構造体と、
前記カートン内のいちばん端の物品を取り除くように露出させるべく開口を形成する、該カートンから少なくとも部分的に着脱自在に前記カートンに着脱自在に連結された移動可能な部分であって、前記移動可能な部分は前記カートンの第１弱化線によって少なくとも部分的に画定され、前記移動可能な部分が前記第１弱化線に沿って前記カートンから少なくとも部分的に着脱されるとき、前記開口は前記端部構造体の１つの上側端縁を画定する、前記移動可能な部分と、
前記移動可能な部分が前記カートンから少なくとも部分的な着脱される以前に視界から見えなくなる前記内部内のパネル部分であって、前記パネル部分は前記カートンからの前記移動可能な部分の少なくとも部分的な着脱によって前記開口を通じて該カートンの外部に視覚的に露出し、前記パネル部分の遠位端は前記上側端縁を越えて延在して前記カートン内に物品を拘束するように前記開口内に入り、前記遠位端は、一方の前記端部構造体の前記上側端縁と実質的に対応する第２弱化線に沿った前記パネル部分の残部に連結され、もって前記第２弱化線に沿って回動可能である、前記パネル部分と、を備えるカートン。
【請求項９】
前記パネル部分の遠位端は前記第２弱化線に沿って着脱可能である、請求項８に記載のカートン。
【請求項１０】
前記パネル部分の遠位端は宣伝用のしるしを自身上に担持するグラフィック表面を含む、請求項８または請求項９に記載のカートン。
【請求項１１】
前記パネル部分の遠位端はゲーム片となっている、請求項８から請求項１０までのいずれか１項に記載のカートン。
【請求項１２】
前記パネル部分の遠位端が商品引換券となっている、請求項１０に記載のカートン。
【請求項１３】
前記パネル部分は前記底面パネルにヒンジ連結された端部フラップから構成される、請求項８から請求項１２までのいずれか１項に記載のカートン。
【請求項１４】
折り目線に沿って前記頂面パネルとは反対側の自身の端縁で他方の側面パネルに連結される第２底面パネルであって、前記第１及び第２底面パネルは、前記管状構造体が前記頂面パネル、前記側面パネル、及び前記第１及び第２底面パネルによって構成されるように一緒に固定され、前記パネル部分は前記第１及び第２底面パネルのそれぞれにヒンジ連結された一対の固定された大端部フラップから構成される、前記第２底面パネルを更に備える、請求項８から請求項１２までのいずれか１項に記載のカートン。
【請求項１５】
カートンを構成するブランクであって、
前記ブランクが管状カートンに組み立てられるとき、カートン端部を画定するように直列に連結される複数のパネルと、
前記カートン内のいちばん端の物品を取り除くように露出させるべく開口を形成する、該カートンから少なくとも部分的に着脱自在であるように前記カートン端部を画定する前記パネルの少なくとも幾つかのに着脱自在に連結された移動可能な部分であって、前記移動可能な部分は前記パネルの少なくとも幾つかで第１弱化線によって少なくとも部分的に画定され、前記カートンが組み立てられ、かつ前記移動可能な部分が前記第１弱化線に沿って前記カートンから少なくとも部分的に着脱されるとき、前記開口は前記カートン端部の上側端縁を画定する、前記移動可能な部分と、
前記カートン端部からの前記移動可能な部分の少なくとも部分的な着脱によって前記開口を通じて該カートンの外部に視覚的に露出するパネル部分であって、前記パネル部分の遠位端は、前記カートンが組み立てられ、かつ前記移動可能な部分が前記カートン端部から少なくとも部分的に着脱されるとき、前記上側端縁を越えて上向きに延在して前記開口内に入り、前記遠位端は、前記カートンが組み立てられ、かつ前記移動可能な部分が前記カートン端部から少なくとも部分的に着脱されるときに、前記カートン端部の上側端縁と実質的に対応する第２弱化線に沿った前記パネル部分の残部に連結される、前記パネル部分と、を備えるカートン。
【発明の詳細な説明】
【技術分野】
【０００１】
本発明は、一般的に、物品をパッケージ詰めする際に使用するボール紙製カートン、及びより詳細には、保持及び広告パネルを組み合わせて内臓する分配カートンに関する。
【背景技術】
【０００２】
カートンは消費者がソフトドリンクのような所望量の物品を購入し、搬送し、及び貯蔵することを可能にするために有用である。消費者の便宜上、或るカートンは、物品を一度に１つ取り出し可能にする一方で残りの物品をカートン内部に入れ続けるディスペンサーを有する。カートンの一部は、物品を分配し得る開口を形成するために引き裂かれる。
【０００３】
残念なことに、１つ以上の物品が開口を通じて一度に分配されることはしばしばあり、これは物品の多くが床上に分配されることに通じる。これは、開放したカートン内に残ったままの物品が開放したカートンによって十分に拘束されないためである。
【０００４】
また、ラベル貼り及び広告のためにカートン上に大きな表面積を有することが望ましいこともしばしばである。しかしながら、既知の分配カートンの分配機構を利用するために、有効表面積が減じられるようにカートンの部分は除去し得るか又は位置づけ得る。
【０００５】
従って、物品を開放したカートン内に適切に拘束する一方でカートンから分配される、いちばん端の物品に対するアクセスを促進するようにも構成されるディスペンサーを具備する改善されたカートンに対する需要がある。改善されたカートンは広告のために有効表面積を最大にする一方で消費者の興味をも引かなければならない。
【発明の開示】
【課題を解決するための手段】
【０００６】
本発明は、より大きな広告用のフレキシビリティーを可能にする広告フラグとしても利用されるように構成された組込保持パネル部分を装備した分配機構を具備するカートンを提供する。
【０００７】
全体的に記載した、複数のパネルは本発明のカートンを構成するために一緒に連結される。カートンの端部における移動可能な部分はカートン内部から物品を分配するための開口を形成するように該カートンから着脱し得る。組み立てられたカートンの内部には、移動可能な部分がカートン内から少なくとも部分的に着脱される以前に視界から見えなくなるパネル部分である。パネル部分は、カートンから移動可能な部分の少なくとも部分的な着脱によって開口を通じてカートンの外部に露出する。パネル部分の遠位端は開放したカートン内に物品を拘束するために開口内に延在する。パネル部分は、より大きな広告用フレキシビリティーを可能にするために自身上に販売促進のしるしを有し得る。
【０００８】
本発明の１態様によれば、カートンは複数のパネルから成る単一のブランクから構成される。少なくとも１つの底面パネルはパネル部分を構成するための細長い端部フラップを含む。この端部フラップは、移動可能な部分が少なくとも部分的に着脱された後、カートンの外部から開口を通じて視認可能になる開口内に延在するように形状構成される。パネル部分の遠位端部は、カートンからいちばん端の物品を取り除くことが所望されるまで、開放カートン内の物品の列からいちばん端の物品を拘束する。
【０００９】
上述したことは本発明のより適切な態様及び特徴の幾つかを広範に概説したものである。これらは、本発明のより適切な特徴及び適用の幾つかのより例示的なものであるとして解釈すべきである。他の有利な結果は、開示された情報を異なる態様で適用することによって、あるいは開示された実施形態を変更することによって得ることができる。従って、本発明の他の態様及びより広い理解は、特許請求の範囲に記載した本発明の範囲に加えて、本願図面に従って採用された例示的実施形態の詳細な説明を参照することによって得ることができる。
【発明を実施するための最良の形態】
【００１０】
図面を参照すると、これらの図では類似した参照数字は幾つかの図面に亘って類似した要素を示す。これらの図は本発明のカートン１０の例示的実施形態を示す。一実施形態では、カートン１０は飲料缶のような物品の分配のためのものである。
【００１１】
全体的に、カートン１０は、図１に示すような厚紙ブランク１２のような折り曲げ可能なシート材料から構成される。ブランク１２のパネルは、第１底面パネル１６、第２底面パネル１８、第１側面パネル２０、第２側面パネル２２及び頂面パネル２４である。あるいは、ブランクの１２は、垂直なカートン１０の底面を構成する第１及び第２底面パネル１６及び１８の組合せを利用するよりは、むしろ、頂面パネルに類似して寸法づけられた単一の底面パネルのみを代わりに含み得る。
【００１２】
図１に示すように、ブランク１２は垂直な分配カートン１０の基礎的管状構造体を構成すべく互いに連続してヒンジで相互連結される。第１底面パネル１６は、折り目線３０によって第１側面パネル２０にヒンジ連結される。次に、第１側面パネル２０は、折り目線３２によって頂面パネル２４にヒンジ連結される。第２底面パネル１８は、折り目線３４によって第２側面パネル２２にヒンジ連結される。次に、第２側面パネル２２は、折り目線３６によって頂面パネル２４にヒンジ連結される。ブランク１２は、管状構造体の両端を少なくとも部分的に閉鎖する端部壁を構成する一対の端部構造体を更に含む。端部構造体の一方は１つの小端部フラップ４８、４つの大端部フラップ４０、４２、４４及び４６から構成される一方で、構造体の他方は３つの小端部フラップ９４、９６及び９８と、２つの大端部フラップ１００及び１０２から構成される。端部フラップ４０、４２、４４、４６及び４８は横方向折り目線２８によってパネル２０、２２、１６、１８及び２４にそれぞれヒンジ連結される一方で、端部フラップ９４、９６、９８、１００及び１０２は横方向折り目線２６によってパネル１６、１８、２４、２０及び２２にそれぞれヒンジ連結される。折り目線２６及び２８の各々はブランク１２の全長に亘って延在する。
【００１３】
大端部フラップ４０及び４２は、側面パネル２０及び２２のそれぞれから延在する。大端部フラップ４４及び４６、並びに小端部フラップ４８は、底面パネル１６及び１８、並びに頂面パネル２４のそれぞれから延在し、かつカートン１０の端部壁の一つの最も内側の層を形成する。一つの端部壁は、以下により詳しく述べるように、カートン内の物品が分配される、分配端部の少なくとも一部を構成する。周知のディスペンサーの底面パネルの端部フラップは、通常、小フラップである。しかしながら、本発明の端部フラップ４４及び４６は小端部フラップ４８の遠位端部を越えて延在し、かつ、好ましくは、図１に示すように、大フラップ４０、４２の遠位端部を越えて延在する。
【００１４】
大端部フラップ１００及び１０２は、側面パネル２０及び２２からそれぞれ延在する。
小端部フラップ９４、９６及び９８は底面パネル１６及び１８、並びに頂面パネル２４からそれぞれ延在し、かつカートン１０の他方の端部壁の最も内側の層を形成する。底面端部フラップ９４及び９６は、通常、小さなフラップであり、かつ小端部フラップ９８と同じ程の長さをしている。
【００１５】
図２に示すように、カートン１０を組み立てるために、底面パネル１６及び底面パネル１８は接着されるか、あるいはさもなければカートン１０の底面を構成すべく一緒に固定される。同時に、大フラップ４４及び４６の側縁５２及び５４も組み合わされた底面大フラップを作り出すために重なった態様で一緒に固定される。小フラップ９４及び９６の側縁も組み合わされた底面小フラップを構成するために一緒に固定される。カートンが開放管状形態で組み立てられ、物品がカートン１０内に充填された後で、端部構造体はカートン１０の反対側の端部壁を構成するために折り曲げられる。
【００１６】
カートン１０の分配端部の閉鎖は、頂面端部フラップ４８を折り目線２８に沿って約９０°に亘って折り曲げ、次いで、組み合わされた底面大フラップ４４及び４６を折り目線２８に沿って９０°に亘って折り曲げることによって開始される。次に、側面の大きな端部フラップ４０及び４２が折り目線２８に沿って端部フラップ４４、４６、及び４８の上に折り曲げられ、大きなフラップ４０及び４２の遠位端部はカートン１０の一方の端部壁の最も外側の層を作り出すように重なった態様で一緒に固定される。カートンの他方の端部の閉鎖は類似の態様で行い得る。
【００１７】
図面に示すような組み立てられたカートン１０は、複数の垂直に配置された列（図２及び図４の２つの列）内で、同様に寸法づけられ、（缶又は瓶のような）円筒状物品の群を保持するように構成される。各並び内の物品は平行な態様で並んでそれらの側面に配置される。側面パネル２０、２２は群の物品の端部の横に並んで配置される一方で、カートンの各端部フラップはそれぞれの物品の最も端部の側壁に隣接して配置される。
【００１８】
本発明の一実施形態では、図１に最も良く示すように、弱化線６０は、各大パネル４０及び４２、側面パネル２０及び２２、並びに頂面パネル２４に亘って延在する。頂面パネル２０の弱化線６０は、カートン１０の分配端部から移動される。弱化線６０の何れの側にも位置するカートンの部分は弱化線に沿って互いに切り離し得る。一実施形態では、大きなフラップ４０及び４２に亘る弱化線６０の部分は、自身の回りを反対両側パネル部分が互いに対して回動し得るヒンジとして働く折り目線部分である一方で、弱化線６０の他方の部分はこの弱化線に沿ってカートンパネルを切り離し得る破断線部分である。
【００１９】
弱化線６０は、大フラップ４０、４２の下側部分６２、６４、及び上側部分６６、６８を画定するための基準として使用される。弱化線６０は弱化線６０の何れの側にも位置するパネル部分の切り離し又は折り曲げを促進する切離し線又はヒンジ形成線とし得る。弱化線は、穿孔線、破断ストライプ、刻み線、半切断線、短スリットから成る線、ニック部材から成る線、あるいはこれらの等価物を含むがこれらに限定されないことが考えられる。
【００２０】
弱化線６０は、大フラップ４０及び４２の端縁５６及び５８に終端する。カートン１０が組み立てられる場合、弱化線６０の全延長部は移動可能な部分７０を画定する。移動可能な部分７０は図２又は図３に示すように形状構成し得るか、あるいは別様に”トラフ(trough)”又は”バケット(bucket)”と通常は呼称されるように形状構成し得る。交換可能な部分７０は、カートン１０から物品の分配を許容する開口を形成するために、図３に示すように、該カートン１０から少なくとも部分的に着脱自在である。タブ７２は好ましくは頂面パネル２４上で弱化線６０に隣接する。タブ７２は移動可能な部分７０の着脱を開始するために押し進め得るか又は引き抜き得る。
【００２１】
弱化線６０は、大フラップ４０の上側部分６６及び大フラップ４２の上側部分６８を組立てられたカートン１０から取外し可能にするか、あるいは該組み立てられたカートン１０に対して回動可能にする。側面パネル２０、２２の部分に加えて、重なる大フラップ４０、４２から取り外されるか、あるいは該大フラップ４０、４２に対して回動された上側部分６６、６８、及び頂面パネル２０は、移動可能な部分７０の好ましい形状構成を画定する。大端部フラップ４０、４２の組み合わされた下側部分６２、６４は、移動可能な部分７０が取り外されるか又は下向きに回動された後にカートン１０と共に残ったままである。組み立てられた下側部分６２、６４の上側端縁７４は、パッケージ詰めされた物品が分配される開口を部分的に形成する。
【００２２】
底面大端部フラップ４４、４６の各々は、側面遠位パネル部分７８、８０及び側面近位パネル部分８２、８４の何れも規定する折り目線又は折れ易い／破断線のような弱化線７６も含む。幾つかの実施形態では、弱化線７６の何れの側にもある端部フラップ４４、４６の部分は、一旦、カートン１０が組み立てられ且つ開放されると、互いに切り離し得る。各弱化線７６は折り目線２８を横切るように実質的に平行であるのが好ましい。端部フラップ４４、４６がカートン１０を組み立てるために一緒に固定されると、端部フラップ４４及び４６の弱化線７６は互いに協働して組み合わされた底面大フラップ４４及び４６に亘る連続線７６を構成する。弱化線７６の全範囲及び配向は下側部分６２、６４の隣接する上側端縁７４に実質的に対応することが好ましい。
【００２３】
移動可能な部分７０がカートン１０の残りの部分から少なくとも部分的に分離されるまで、組み合わされた遠位パネル部分７８、８０は視界から見えなくなる。何故なら、端部フラップ４４、４６は組み立てられたカートン１０の分配端部における端部壁の最も内側の層であるため、近位パネル部分８２、８４は面と面が面する関係で端部フラップ４０、４４の下側部分６２、６４の背後にあるためである。この面と面の関係は移動可能な部分７０がカートン１０から完全に分離された後でさえ維持される。移動可能な部分７０がカートン１０から少なくとも部分的に分離された後にのみ、組み合わされた遠位パネル部分７８、８０は開口を通じてカートン１０の外側に視覚的に露出する。
【００２４】
図３及び図４に最も良く示すように、組み合わされた遠位パネル部分７８、８０は上側端縁７４を越え開口内に延在する。組み合わされた遠位パネル部分７８、８０は物品の下側列にいちばん端の物品を保持するのに利用し得るが、消費者により所望される際にはいちばん端の物品を取外し可能にする。あるいは、組み合わされた遠位パネル部分７８、８０は、底面端部フラップ４４及び４６の垂直方向長さがカートン１０にパッケージ詰めされた各円筒状物品の直径よりも大きいようにブランク１２が異なって形状構成される際に、上側及び下側物品列の両方にいちばん端の物品を保持するのに利用し得る。
【００２５】
図４に示すように、組み合わされた遠位パネル部分７８、８０は折り曲げ得るか、あるいは弱化線７６に沿ってこれらに対応する近位パネル部分８２、８４に対して回動させ得る。仮に、組み合わされた遠位パネル部分７８、８０が上側端縁７４上を外向きに回動されたとしても、最も端部にある物品をカートン１０内に拘束し続け得る。
【００２６】
一実施形態では、組み合わされた遠位パネル部分７８、８０はカートンの外向きに面するグラフィック表面を含み得る。グラフィック表面は、物品を分配するためにカートン１０を開放するときに消費者に視認し得るようになる公告のようなしるしを担持する。このしるしは、組み合わされた遠位パネル部分７８、８０が商品引換券／クーポン券又は（宝くじ券のような）一片のゲーム券として働く。こうした場合には、弱化線７６は、商品引換券又は一片のゲーム券がこの弱化線７６に沿って近位パネル部分８２、８４から分離し得るように、分離線又は破断線とし得る。
【００２７】
本発明を全ての点で限定するというよりはむしろ例示的であるように意図した特定の実施形態に関して説明してきた。当業者であれば、本発明は、本発明の範囲から逸脱せずに多くの変更及び変形をなし得ることが理解できる。従って、本発明の範囲は添付の特許請求の範囲に記載され、かつ上述の記載により裏づけられる。
【図面の簡単な説明】
【００２８】
【図１】組込式保持形状構成を具備する本発明のカートンを構成するブランクの１つの実施形態の平面図である。
【図２】図１のブランクから構成された本発明のカートンの１実施形態の斜視図である。
【図３】物品を分配するために取り除かれたカートンの一部を具備し、かつ物品の下側列を拘束するためのパネル部分を図示する、図１のブランクから構成された本発明のカートンの１実施形態の斜視図である。
【図４】外向きに回動される一方で物品の下側列を拘束し続ける、図１のブランクから構成された本発明のカートンの１実施形態の斜視図である。
【符号の説明】
【００２９】
１０  カートン
１２  厚紙ブランク
１６  第１底面パネル
１８  第２底面パネル
２０  第１側面パネル
２２  第２側面パネル
２４  頂面パネル
２６、２８  折れ目線
３０、３２、３４、３６  折れ目線
４０、４２  大端部フラップ
４４、４６  大端部フラップ
４８  小端部フラップ
５２、５４  側縁
５６、５８  端縁
６０  弱化線
６２、６４  下側部分
６６、６８  上側部分
７０  移動可能な部分
７２  タブ
７４  上側端縁
７６  弱化線
７８、８０  側面遠位パネル部分
８２、８４  側面近位パネル部分
９４、９６  底面端部フラップ
９８  小端部フラップ
１００、１０２  大端部フラップ
【図１】
2007511440.tif 000003
【図２】
2007511440.tif 000004
【図３】
2007511440.tif 000005
【図４】
2007511440.tif 000006
【手続補正書】
【提出日】平成17年11月10日(2005.11.10)
【手続補正１】
【補正対象書類名】特許請求の範囲
【補正対象項目名】全文
【補正方法】変更
【補正の内容】
【特許請求の範囲】
【請求項１】
物品を分配するカートンであって、
カートン端部を画定する複数のパネルと、
前記カートン内のいちばん端の物品を取り除くように露出させるべく開口を形成する、該カートンから少なくとも部分的に着脱自在に前記カートン端部に着脱自在に連結した移動可能な部分であって、前記移動可能な部分は前記パネルの幾つかと第１弱化線によって少なくとも部分的に画定され、前記移動可能な部分が物品を拘束するために前記第１弱化線に沿って前記カートン端部から少なくとも部分的に着脱されるとき、前記開口は前記カートン端部の垂直部分を画定する、前記移動可能な部分と、を備えるカートンにおいて、
前記垂直部分が多層構造体であり、しかも前記垂直部分の内側層が、前記カートン端部からの前記移動可能な部分の少なくとも部分的な着脱によって前記開口を通じて前記カートンの外部に視覚的に露出するパネル部分によって供され、前記パネル部分の遠位端は前記垂直部分の外側層を越えて上向きに延在して前記カートン内に物品を拘束する前記開口内に入り、前記遠位端は、前記カートン端部の前記垂直部分の外側層の上側端縁と実質的に対応する第２弱化線に沿った前記パネル部分の残部に連結され、もって前記第２弱化線に沿って回動可能であることを特徴とするカートン。
【請求項２】
前記パネル部分の遠位端は前記弱化線に沿って着脱可能である、請求項１に記載のカートン。
【請求項３】
前記パネル部分の遠位端は宣伝用のしるしを自身上に担持するグラフィック表面を含む、請求項１または請求項２に記載のカートン。
【請求項４】
前記パネル部分の遠位端はゲーム片となっている、請求項１から請求項３までのいずれか１項に記載のカートン。
【請求項５】
前記パネル部分の遠位端が商品引換券となっている、請求項３に記載のカートン。
【請求項６】
前記パネル部分は前記カートンの底面パネルにヒンジ連結された端部フラップから構成される、請求項１から請求項５までのいずれか１項に記載のカートン。
【請求項７】
前記パネル部分は、前記カートンの一対の固定された底面パネルにそれぞれヒンジ連結された一対の固定された大端部フラップから構成される、請求項１から請求項５までのいずれか１項に記載のカートン。
【請求項８】
カートンを構成するブランクであって、
頂面パネルと、
折り目線に沿って前記頂面パネルの各反対側端縁に連結される側面パネルと、
折り目線に沿って、前記頂面パネルとは反対側の自身の端縁で前記側面パネルの１つに連結される第１底面パネルであって、前記頂面パネル、前記側面パネル、及び前記底面パネルは管状構造体を画定する、前記第１底面パネルと、
前記管状構造体の各反対側端部を少なくとも部分的に閉鎖する端部構造体と、
前記カートン内のいちばん端の物品を取り除くように露出させるべく開口を形成する、該カートンから少なくとも部分的に着脱自在に前記カートンに着脱自在に連結された移動可能な部分であって、前記移動可能な部分は前記カートンの第１弱化線によって少なくとも部分的に画定され、前記移動可能な部分が前記第１弱化線に沿って前記カートンから少なくとも部分的に着脱されるとき、前記開口は前記端部構造体の１つの垂直部分を画定する、前記移動可能な部分と、を備えるブランクにおいて、
前記垂直部分が多層構造体であり、しかも前記垂直部分の内側層が、前記カートン端部からの前記移動可能な部分の少なくとも部分的な着脱によって前記開口を通じて前記カートンの外部に視覚的に露出するパネル部分によって供され、前記パネル部分の遠位端は前記垂直部分の外側層を越えて上向きに延在して前記カートン内に物品を拘束するように前記開口内に入り、前記遠位端は、前記端部構造体の前記垂直部分の外側層の上側端縁と実質的に対応する第２弱化線に沿った前記パネル部分の残部に連結され、もって前記第２弱化線に沿って回動可能であることを特徴とするカートン。
【請求項９】
前記パネル部分の遠位端は前記第２弱化線に沿って着脱可能である、請求項８に記載のブランク。
【請求項１０】
前記パネル部分の遠位端は宣伝用のしるしを自身上に担持するグラフィック表面を含む、請求項８または請求項９に記載のブランク。
【請求項１１】
前記パネル部分の遠位端はゲーム片となっている、請求項８から請求項１０までのいずれか１項に記載のブランク。
【請求項１２】
前記パネル部分の遠位端が商品引換券となっている、請求項１０に記載のブランク。
【請求項１３】
前記パネル部分は前記底面パネルにヒンジ連結された端部フラップから構成される、請求項８から請求項１２までのいずれか１項に記載のブランク。
【請求項１４】
折り目線に沿って前記頂面パネルとは反対側の自身の端縁で他方の側面パネルに連結される第２底面パネルであって、前記第１及び第２底面パネルは、前記管状構造体が前記頂面パネル、前記側面パネル、及び前記第１及び第２底面パネルによって構成されるように一緒に固定され、前記パネル部分は前記第１及び第２底面パネルのそれぞれにヒンジ連結された一対の固定された大端部フラップから構成される、前記第２底面パネルを更に備える、請求項８から請求項１２までのいずれか１項に記載のブランク。
【請求項１５】
カートンを構成するブランクであって、
前記ブランクが管状カートンに組み立てられるとき、カートン端部を画定するように直列に連結される複数のパネルと、
前記カートン内のいちばん端の物品を取り除くように露出させるべく開口を形成する、該カートンから少なくとも部分的に着脱自在であるように前記カートン端部を画定する前記パネルの少なくとも幾つかのに着脱自在に連結された移動可能な部分であって、前記移動可能な部分は前記パネルの少なくとも幾つかで第１弱化線によって少なくとも部分的に画定され、前記カートンが組み立てられ、かつ前記移動可能な部分が前記第１弱化線に沿って前記カートンから少なくとも部分的に着脱されるとき、前記開口は前記カートン端部の上側端縁を画定する、前記移動可能な部分と、
前記カートン端部からの前記移動可能な部分の少なくとも部分的な着脱によって前記開口を通じて該カートンの外部に視覚的に露出するパネル部分であって、前記パネル部分の遠位端は、前記カートンが組み立てられ、かつ前記移動可能な部分が前記カートン端部から少なくとも部分的に着脱されるとき、前記上側端縁を越えて上向きに延在して前記開口内に入り、前記遠位端は、前記カートンが組み立てられ、かつ前記移動可能な部分が前記カートン端部から少なくとも部分的に着脱されるときに、前記カートン端部の上側端縁と実質的に対応する第２弱化線に沿った前記パネル部分の残部に連結される、前記パネル部分と、を備えるカートン。
【国際調査報告】
2007511440.tif 000007
2007511440.tif 000008